(57)【要約】【課題】本発明は、ユーザに対して常に一段と快適な視聴環境を提供できるようにする。【解決手段】本発明は、映像コンテンツの内容に対応した明るさになるよう光源部３３の照度を調整可能な照明器具３を対象として、映像コンテンツの内容を示す番組情報ＪＤを取得し、番組情報ＪＤを照明器具３へ送信することにより、番組情ＪＤ報により示される映像コンテンツの内容に対応した明るさになるよう照明器具３に対して光源部３３の照度を調光部３２により調整させることができるので、ユーザに対して常に一段と快適な視聴環境を提供することができる。【選択図】図１
2010130621.tif 000002
【特許請求の範囲】
【請求項１】
映像コンテンツの内容に対応した明るさになるよう光源の照度を調整可能な照明器具を対象として、上記映像コンテンツの内容を示す番組情報を取得する取得手段と、
上記番組情報を上記照明器具へ送信することにより、上記番組情報により示される上記映像コンテンツの内容に対応した明るさになるよう上記照明器具に対して上記光源の照度を調整させる送信手段と
を具える情報処理装置。
【請求項２】
上記送信手段は、上記番組情報を上記照明器具へ送信することにより、上記番組情報により示される上記映像コンテンツの内容に対応した色になるよう上記照明器具に対して上記光源から照射される光の色を調整させる
請求項１に記載の情報処理装置。
【請求項３】
上記送信手段は、上記取得手段から受信した上記番組情報が更新される度に、当該番組情報を上記照明器具へ送信する
請求項１に記載の情報処理装置。
【請求項４】
映像コンテンツの内容に対応した明るさになるよう光源の照度を調整可能な照明器具を対象として、上記映像コンテンツの内容を示す番組情報を取得手段によって取得する取得ステップと、
上記番組情報を送信手段によって上記照明器具へ送信することにより、上記番組情報により示される上記映像コンテンツの内容に対応した明るさになるよう上記照明器具に対して上記光源の照度を調整させる送信ステップと
を有する照明制御処理方法。
【請求項５】
映像コンテンツの内容を示す番組情報を取得する取得手段、及び上記番組情報を送信する送信手段を有する情報処理装置と、
上記番組情報を受信する受信手段、上記番組情報により示される上記映像コンテンツの内容に対応した明るさになるよう光源の照度を調整する照度調整手段を有する照明器具と
を具える照明制御システム。
【発明の詳細な説明】
【技術分野】
【０００１】
本発明は、情報処理装置、照明制御処理方法及び照明制御システムに関し、例えば地上波ディジタルテレビジョン放送受信可能なテレビジョン受像機に適用して好適なものである。
【背景技術】
【０００２】
従来、地上波ディジタルテレビジョン放送受信可能なテレビジョン受像機（以下、これを地上ディジタルテレビジョン受像機と呼ぶ）においては、アンテナを介して受信した地上ディジタルテレビジョン放送波から選局先の番組データを抽出してデコードすることによりトランスポートストリームを得る。
【０００３】
そして地上ディジタルテレビジョン受像機では、このトランスポートストリームに対してスクランブル解除処理及びフィルタリング処理等を施した後、番組映像、番組音声及びデータ放送情報に分離し、当該番組映像をＬＣＤ(Liquid Crystal Display)等のディスプレイに表示すると共に、番組音声をスピーカから出力するようになされている。
【０００４】
一方、表示画面の周辺に入射される環境光の明るさ成分の測定結果と、利用者の視界に対して入射される太陽光の明るさ成分との比較結果に応じて表示画面による表示画像の明るさ調整を行なうようになされた表示画面調整装置がある（例えば、特許文献１参照）。
【特許文献１】特開2007-286170公報
【発明の開示】
【発明が解決しようとする課題】
【０００５】
ところで地上ディジタルテレビジョン受像機においては、アニメーション、映画、バラエティー、スポーツ等の様々な放送内容の番組映像をユーザに対して視聴させ得るものの、視聴環境次第では番組映像を視聴しているユーザの体調を崩すといった症例も報告されている。
【０００６】
例えば、暗い部屋でユーザがアニメーションを鑑賞しているときに、色の点滅や閃光シーン等による激しい色の変化や輝度の変化を視覚的に受けた場合、ユーザの気分が悪くなるという報告がある。そのため最近では、部屋を明るくして視聴するように注意を促すテロップが番組映像に重ねて表示されている。
【０００７】
しかしながら、上述した表示画面調整装置においても、表示画像の明るさを調整するのであって、部屋の明るさ等の視聴環境を変化させる訳ではないため、その効果としては不十分であるという問題があった。
【０００８】
本発明は以上の点を考慮してなされたもので、ユーザに対して常に一段と快適な視聴環境を提供し得る情報処理装置、照明制御処理方法及び照明制御システムを提案しようとするものである。
【課題を解決するための手段】
【０００９】
かかる課題を解決するため本発明の情報処理装置及び照明制御方法においては、映像コンテンツの内容に対応した明るさになるよう光源の照度を調整可能な照明器具を対象として、映像コンテンツの内容を示す番組情報を取得し、番組情報を照明器具へ送信することにより、番組情報により示される映像コンテンツの内容に対応した明るさになるよう照明器具に対して光源の照度を調整させるようにする。
【００１０】
これにより、映像コンテンツの内容に合わせた明るさに光源の照度を調整することが出来るので、ユーザに対して常に一段と快適な視聴環境を提供することができる。
【００１１】
また本発明の照明制御システムにおいては、映像コンテンツの内容を示す番組情報を取得する取得手段、及び番組情報を送信する送信手段を有する情報処理装置と、番組情報を受信する受信手段、番組情報により示される映像コンテンツの内容に対応した明るさになるよう光源の照度を調整する照度調整手段を有する照明器具とを設けるようにする。
【００１２】
これにより、映像コンテンツの内容に合わせた明るさに光源の照度を調整することが出来るので、ユーザに対して常に一段と快適な視聴環境を提供することができる。
【発明の効果】
【００１３】
本発明によれば、映像コンテンツの内容に合わせた明るさに光源の照度を調整することが出来るので、ユーザに対して常に一段と快適な視聴環境を提供し得る情報処理装置、照明制御処理方法及び照明制御システムを実現することができる。
【発明を実施するための最良の形態】
【００１４】
以下、発明を実施するための最良の形態（以下、実施の形態とする）について説明する。なお、説明は以下の順序で行う。
１．第１の実施の形態（カラーフィルタを用いた場合）
２．第２の実施の形態（ＬＥＤ光源部を用いた場合）
３．他の実施の形態
【００１５】
＜１．第１の実施の形態＞
［１−１．照明制御システムの構成］
図１において、１は全体として本発明の第１の実施の形態における照明制御システムを示し、地上ディジタルテレビジョン受像機２と照明器具３とから構成されている。
【００１６】
地上ディジタルテレビジョン受像機２は、ＣＰＵ(Central Processing Unit)構成の制御部２０が全体を統括制御するようになされており、図示しないリモートコントローラ（以下、これをリモコンと呼ぶ。）から受け取った種々の命令に対応するテレビジョン表示処理等を実行するようになされている。
【００１７】
実際上、地上ディジタルテレビジョン受像機２では、アンテナ１０を介して地上ディジタルテレビジョン放送の放送波Ｓ１を受信し、これをディジタルチューナ１１へ送出する。
【００１８】
ディジタルチューナ１１は、アンテナ１０を介して供給された放送波Ｓ１から所定周波数の変調信号を制御部２０からの命令に従って選局し、その変調信号に対して復調処理や誤り訂正処理等の所定の信号処理を施すことによりトランスポートストリームＴＳ１を復元し、これをデマルチプレクサ１２へ送出する。
【００１９】
デマルチプレクサ１２は、トランスポートストリームＴＳ１に対してヘッダ部に格納されているＰＩＤ(Packet IDentification)の値に基づきフィルタリングを行うことにより、ビデオストリームＶＳ１、オーディオストリームＡＳ１及びデータ放送用の付加データＥＳ１を取り出し、これをデコーダ１３へ送出する。
【００２０】
デコーダ１３は、ビデオストリームＶＳ１、オーディオストリームＡＳ１及び付加データＥＳ１に対してそれぞれ復号処理を施すことによりビデオ信号ＶＤ１、オーディオ信号ＡＤ１及び付加情報ＥＤ１を得る。
【００２１】
そしてデコーダ１３は、ビデオ信号ＶＤ１については映像処理部１６へ送出し、オーディオ信号ＡＤ１については音声処理部１４へ送出し、付加情報ＥＤ１については放送内容判別部１８へ送出するようになされている。
【００２２】
音声処理部１４は、デコーダ１３から供給されたオーディオ信号ＡＤ１に対して所定の音声処理等を施し、その結果得られるオーディオ信号ＡＤＳ１をスピーカ１５へ供給することにより、当該オーディオ信号ＡＤＳ１に対応した音声をスピーカ出力するようになされている。
【００２３】
映像処理部１６は、デコーダ１３から供給されたビデオ信号ＶＤ１に対してノイズ除去処理、解像度変換処理、フレーム補間処理等の所定の画像処理を施し、その結果得られるビデオ信号ＶＤＳ１をＬＣＤ１７へ出力することにより、ビデオ信号ＶＤＳ１に応じた番組映像をＬＣＤ１７に対して表示するようになされている。
【００２４】
放送内容判別部１８は、付加情報ＥＤ１を解析することによりＬＣＤ１７に表示する番組映像の放送内容が例えば「シネマ」、「スポーツ」、「ドラマ」等の何れのジャンルに属するものであるかを判別し、その判別結果である番組情報ＪＤを制御部２０へ送出する。
【００２５】
制御部２０は、放送内容判別部１８から供給された番組情報ＪＤを赤外線、ブルートゥース（登録商標）若しくは例えばIEEE(Institute of Electrical and Electronics Engineers)802.11gの無線ＬＡＮ規格等による無線通信インタフェース１９により照明器具３へ無線送信するようになされている。
【００２６】
照明器具３では、地上ディジタルテレビジョン受像機２から無線送信された番組映像の放送内容の判別結果である番組情報ＪＤを無線通信インタフェース３１によって受信し、これをＣＰＵ構成でなる制御部３０へ送出する。
【００２７】
照明器具３の制御部３０では、番組情報ＪＤに応じて調光部３２を制御することにより、蛍光灯等でなる光源部３３の光量を調整して、その明るさを変更し得るようになされている。
【００２８】
また照明器具３の制御部３０では、番組情報ＪＤに応じて光源部３３の前面に設けられた複数種類の色（例えば赤、青、緑）が付されたカラーフィルタ３４を移動制御することにより、光源部３３からの光を赤色光、青色光又は緑色光に変化させ得るようになされている。
【００２９】
［１−２．照明制御処理シーケンス］
次に、照明制御システム１による照明制御処理シーケンスについて、図２のシーケンスチャートを用いて説明する。
【００３０】
実際上、地上ディジタルテレビジョン受像機２の制御部２０は、所定のアプリケーションプログラムに従いステップＳＰ１において、放送波Ｓ１からディジタルチューナ１１、デマルチプレクサ１２及びデコーダ１３を介してデータ放送用の付加情報ＥＤ１を取得し、次のステップＳＰ２へ移る。
【００３１】
ステップＳＰ２において地上ディジタルテレビジョン受像機２の制御部２０は、その付加情報ＥＤ１に基づいて番組映像の放送内容の判別結果である番組情報ＪＤを認識し、次のステップＳＰ３へ移る。
【００３２】
ステップＳＰ３において地上ディジタルテレビジョン受像機２の制御部２０は、その番組情報ＪＤを照明器具３へ無線送信し、次のステップＳＰ４へ移って地上ディジタルテレビジョン受像機２における処理を終了する。
【００３３】
なお地上ディジタルテレビジョン受像機２の制御部２０は、時間の経過と共に、ＴＶ番組が切り換わり、番組情報ＪＤが更新される度に、その番組情報ＪＤを照明器具３へ無線送信するようになされている。
【００３４】
一方、照明器具３の制御部３０は、ステップＳＰ１１において、予めデフォルトで決められている明るさ（例えば３０Ｗの蛍光灯を２灯使用した八畳間の光量に相当する「３００ルクス」）と、色（例えば緑色光）になるよう調光部３２及びカラーフィルタ３４を制御し、次のステップＳＰ１２へ移る。
【００３５】
ステップＳＰ１２において照明器具３の制御部３０は、ステップＳＰ３において地上ディジタルテレビジョン受像機２から送信された番組情報ＪＤを受信して受け取り、次のステップＳＰ１３へ移る。
【００３６】
ステップＳＰ１３において照明器具３の制御部３０は、図３に示すような照度・色組合せテーブルＴＬを予め保持しており、番組情報ＪＤに応じた明るさ（ルクス）及び色を選択し、次のステップＳＰ１４へ移る。
【００３７】
ここで照度・色組合せテーブルＴＬでは、番組情報ＪＤによって示される放送内容のジャンルが「シネマ」であった場合、「照度」としては少し暗めの照度１００ルクスでかつ、「色」としては青色光の組合せが提示されている。
【００３８】
また照度・色組合せテーブルＴＬでは、番組情報ＪＤによって示される放送内容のジャンルが「スポーツ」であった場合、「照度」としては少し明るめの照度４００ルクスでかつ、「色」としては赤色光の組合せが提示されている。
【００３９】
さらに照度・色組合せテーブルＴＬでは、番組情報ＪＤによって示される放送内容のジャンルが「ドラマ」であった場合、「照度」としては明るめの照度５００ルクスでかつ、「色」としては緑色光の組合せが提示されている。
【００４０】
但し、照度・色組合せテーブルＴＬによって提示された放送内容のジャンル、「照度」、「色」及びその組合せとしては、これらに限るものではなく、その他種々のジャンル、「照度」、「色」及びその組合せが提示されるようにしても良い。
【００４１】
ステップＳＰ１４において照明器具３の制御部３０は、ステップＳＰ１３で照度・色組合せテーブルＴＬに基づいて選択した明るさ（ルクス）及び色になるよう調光部３２及びカラーフィルタ３４を調整し、次のステップＳＰ１５へ移って照明器具３における処理を終了する。
【００４２】
［１−３．動作及び効果］
以上の構成において、照明制御システム１では、地上ディジタルテレビジョン受像機２がデータ放送用の付加情報ＥＤ１を放送内容判別部１８によって解析することにより、ＬＣＤ１２に表示するＴＶ番組の放送内容（ジャンル）を示す番組情報ＪＤを得、これを照明器具３へ送信する。
【００４３】
照明器具３の制御部３０は、地上ディジタルテレビジョン受像機２から受け取った番組情報ＪＤにより、ＴＶ番組の放送内容（ジャンル）が「シネマ」、「スポーツ」又は「ドラマ」の何れであるかを認識する。
【００４４】
そして照明器具３の制御部３０は、照度・色組合せテーブルＴＬに基づいてＴＶ番組の放送内容（ジャンル）に合わせた「照度」及び「色」の組合せとなるように調光部３２及びカラーフィルタ３３を制御することができる。
【００４５】
これにより照明制御システム１では、ＴＶ番組を視聴しているユーザに対して、放送内容に応じた最適な視聴環境を照明器具３によって提供することができ、かくして色の変化の激しい番組映像や、閃光シーン等が含まれた番組映像を視聴しているユーザに対しても、体調を損ねさせることがなく、快適な状態でＴＶ番組を視聴させることができる。
【００４６】
なお、照明制御システム１では、ＴＶ番組の放送内容（ジャンル）に合わせた「照度」及び「色」となるように照明器具３の光源部３３から出射される光を制御することができるので、例えば「シネマ（ホラー系）」であれば、照度を落として室内空間を暗くすることによりユーザに臨場感を与えると共に、青色光による恐怖を感じさせる雰囲気を作り出して提供することが出来る。
【００４７】
以上の構成によれば、照明制御システム１では、ＬＣＤ１２に表示するＴＶ番組の放送内容（ジャンル）に合わせた明るさ及び色となるように照明器具３からの光を制御することにより、ユーザに対して常に快適な視聴環境を提供することができる。
【００４８】
＜２．第２の実施の形態＞
［２−１．照明制御システムの構成］
図１との対応部分に同一符号を付した図４において、１００は全体として本発明の第２の実施の形態における照明制御システムを示し、地上ディジタルテレビジョン受像機２と照明器具１１０とから構成されている。
【００４９】
この照明制御システム１００では、第１の実施の形態における照明制御システム１と異なる点として、照明器具３（図１）に代わって照明器具１１０が設けられており、ここでは証明器具１１０の構成についてのみ説明する。
【００５０】
照明器具１１０では、地上ディジタルテレビジョン受像機２から無線送信された番組映像の放送内容の判別結果である番組情報ＪＤを無線通信インタフェース１３１によって受信し、これをＣＰＵ構成でなる制御部１３０へ送出する。
【００５１】
照明器具１１０の制御部１３０では、番組情報ＪＤに応じて調光部１３２を制御することにより、ＬＥＤ(Light Emitting Diode)でなるＬＥＤ光源部１３４の光量を調整して、その明るさを変更し得るようになされている。
【００５２】
また照明器具１１０の制御部１３０では、番組情報ＪＤに応じてＬＥＤ光源部１３４におけるＲＧＢの比率（赤：0.29891、緑：0.58661、青：0.11448）を所定の割合に変更することにより、ＬＥＤ光源部１３４からの光を赤色光、青色光又は緑色光に変化させ得るようになされている。
【００５３】
［２−２．照明制御処理シーケンス］
照明制御システム１００による照明制御処理シーケンスについては、第１の実施の形態における証明制御システム１による照明制御処理シーケンス（図２）と同じであるため、ここでは説明を省略する。
【００５４】
［２−３．動作及び効果］
以上の構成において、照明制御システム１００では、地上ディジタルテレビジョン受像機２がデータ放送用の付加情報ＥＤ１を放送内容判別部１８によって解析することにより、ＬＣＤ１２に表示するＴＶ番組の放送内容（ジャンル）を示す番組情報ＪＤを得、これを照明器具１１０へ送信する。
【００５５】
照明器具１１０の制御部１３０は、地上ディジタルテレビジョン受像機２から受け取った番組情報ＪＤにより、ＴＶ番組の放送内容（ジャンル）が「シネマ」、「スポーツ」又は「ドラマ」の何れであるかを認識する。
【００５６】
そして照明器具１１０の制御部１３０は、照度・色組合せテーブルＴＬに基づいてＴＶ番組の放送内容（ジャンル）に合わせた「照度」及び「色」の組合せとなるように調光部３２及びＬＥＤ光源部１３４を制御することができる。
【００５７】
これにより照明制御システム１００では、ＴＶ番組を視聴しているユーザに対して、放送内容に応じた最適な視聴環境を照明器具３によって提供することができ、かくして色の変化の激しい番組映像や、閃光シーン等が含まれた番組映像を視聴しているユーザに対しても、体調を損ねさせることがなく、快適な状態でＴＶ番組を視聴させることができる。
【００５８】
なお、照明制御システム１００では、ＴＶ番組の放送内容（ジャンル）に合わせた「照度」及び「色」となるように照明器具１１０のＬＥＤ光源部１３４から出射される光を制御することができるので、例えば「シネマ（ホラー系）」であれば、照度を落として室内空間を暗くすることによりユーザに臨場感を与えると共に、青色光による恐怖を感じさせる雰囲気を作り出して提供することが出来る。
【００５９】
以上の構成によれば、照明制御システム１００では、ＬＣＤ１２に表示するＴＶ番組の放送内容（ジャンル）に合わせた明るさ及び色となるように照明器具１１０からの光を制御することにより、ユーザに対して常に快適な視聴環境を提供することができる。
【００６０】
＜３．他の実施の形態＞
なお上述の第１及び第２の実施の形態においては、地上ディジタルテレビジョン受像機２の制御部２０が判別した番組情報ＪＤを無線通信によって照明器具３、１１０へ送信するようにした場合について述べたが、本発明はこれに限らず、番組情報ＪＤを有線通信によって照明器具３、１１０へ送信するようにしても良い。
【００６１】
また上述の実施の形態においては、地上ディジタルテレビジョン受像機２の制御部２０が予め保持している照度・色組合せテーブルＴＬに従ってＴＶ番組の放送内容（ジャンル）に合わせた「照度」及び「色」の組合せとなるように調光部３２及びＬＥＤ光源部１３４を制御するようにした場合について述べた。
【００６２】
しかしながら、本発明はこれに限らず、地上ディジタルテレビジョン受像機２ではユーザの好みによって照度・色組合せテーブルＴＬにおける「照度」の数値、「色」のパターン、及び組合せパターンを任意に変更するようにしても良い。
【００６３】
さらに上述の実施の形態においては、映像コンテンツとして、地上ディジタルテレビジョン受像機２が表示するＴＶ番組の番組映像を対象とするようにした場合について述べた。
【００６４】
しかしながら、本発明はこれに限らず、映像コンテンツとして、地上ディジタルテレビジョン受像機１が表示可能なゲーム映像、ビデオ映像、ＣＧ(Computer Graphics)映像を対象とするようにしても良い。
【００６５】
さらに上述の実施の形態においては、地上ディジタルテレビジョン受像機２の制御部２０が放送内容判別部１８によって判別した番組情報ＪＤを無線通信によって照明器具３、１１０へ送信し、照明制御処理シーケンス（図２）を実行を常に実行するようにした場合について述べた。
【００６６】
しかしながら、本発明はこれに限らず、地上ディジタルテレビジョン受像機２の制御部２０は、リモコン（図示せず）を介して照明制御処理シーケンス（図２）を実行しない命令が与えられた場合、照明制御処理シーケンス（図２）を実行することはない。要は、地上ディジタルテレビジョン受像機２におおては、照明制御処理シーケンス（図２）を実行するか否かをユーザによって任意に決定できるようにしても良い。
【００６７】
さらに上述の実施の形態においては、地上ディジタルテレビジョン受像機２の制御部２０が、予めインストールされたアプリケーションプログラムに従って照明制御処理シーケンスのステップＳＰ１〜ステップＳＰ４を実行するようにした場合について述べた。
【００６８】
しかしながら、本発明はこれに限らず、所定の記録媒体からインストールしたアプリケーションプログラムや、インターネットからダウンロードしたアプリケーションプログラム、その他種々のルートによってインストールしたアプリケーションプログラムに従って上述した照明制御処理シーケンスのステップＳＰ１〜ステップＳＰ４を実行するようにしても良い。
【００６９】
さらに上述の実施の形態においては、情報処理装置として地上ディジタルテレビジョン受像機２を用いるようにした場合について述べたが、本発明はこれに限らず、チューナセットトップボックス等の放送受信機を用いるようにしても良い。
【００７０】
さらに上述の実施の形態においては、取得部としてのチューナ１１、デマルチプレクサ１２、デコーダ１３及び放送内容判別部１８、送信手段としての無線通信インタフェース１９によって情報処理装置として地上ディジタルテレビジョン受像機２を構成するようにした場合について述べた。
【００７１】
しかしながら、本発明はこれに限らず、その他種々の構成でなる取得部及び送信部によって本発明の情報処理装置を構成するようにしても良い。
【産業上の利用可能性】
【００７２】
本発明の情報処理装置、照明制御処理方法及び照明制御システムは、例えば地上波ディジタルテレビジョン放送受信可能なテレビジョン受像機以外にも、地上波ディジタルテレビジョン放送受信可能なチューナ機能が搭載されたパーソナルコンピュータ、カーナビゲーションシステム及び携帯電話機及びＰＤＡ(Personal Digital Assistant)等に適用することができる。
【図面の簡単な説明】
【００７３】
【図１】第１の実施の形態における照明制御システムの構成を示す略線的ブロック図である。
【図２】照明制御処理シーケンスを示す略線図である。
【図３】番組情報に応じた照度・色組合せテーブルを示す略線図である。
【図４】第２の実施の形態における照明制御システムの構成を示す略線図である。
【符号の説明】
【００７４】
１、１００……照明制御システム、２……地上ディジタルテレビジョン受像機、３、１１０……照明器具、１１……ディジタルチューナ、１２……デマルチプレクサ、１３……デコーダ、１４……音声処理部、１５……スピーカ、１６……映像処理部、１７……ＬＣＤ、１８……放送内容判別部、１９、３１、１３１……無線通信インタフェース、２０、３０、１３０……制御部、３２、１３２……調光部、３３……光源部、１３４……ＬＥＤ光源部。
【図１】
2010130621.tif 000003
【図２】
2010130621.tif 000004
【図３】
2010130621.tif 000005
【図４】
2010130621.tif 000006